(57)【要約】【課題】庇を３部材の接合で構成することで、各部材を押出成形材で形成してもコストダウンの効果が上がり、各部材の接合手段の改良で先端材の振れ止め、抜け止めも効果的に行われる建物用庇を提供すること。【解決手段】取付部材１と先端材２を接合手段3で接合して、建物躯体４へ上記取付部材で取り付け、取付部材の上側には先端材との接合部に跨るカバー材５を覆設した建物用庇であって、上記取付部材と先端材の接合部は、横向きの凹部６を取付部材又は先端材の一方に有し、この凹部に係合する凸部７を取付部材又は先端材の他方に有するものであり、上記カバー材は、先端側に上記先端材に設けた受溝８へ係合する折返縁9を有し、基部側には上記取付部材の建物躯体への取付部に付設した受片１１へ重ねてねじ１２止めする取付片１３を有していること。【選択図】図１
2010150805.tif 000002
【特許請求の範囲】
【請求項１】
Ｌ形をなす取付部材と板状の先端材を接合手段で接合して、取付部材により建物躯体に取り付け、上記取付部材の上側には、先端材と取付部材の接合部に跨るカバー材を覆設した建物用庇であって、
上記取付部材と先端材の接合手段は、横向きの凹部を取付部材又は先端材の一方に有し、この凹部に係合する凸部を取付部材又は先端材の他方に有するものであり、
上記カバー材は、先端側に上記先端材に設けた受溝に係合する折返縁を有し、基部側に上記取付部材の建物躯体への取付部に付設した受片に取り付ける取付片を有しているものである
ことを特徴とする建物用庇。
【請求項２】
上記先端材は、張出面に異なる模様を形成した複数種の中から、所望する先端材を選択して取付部材と接合すること
を特徴とする請求項1に記載の建物用庇。
【請求項３】
上記先端材と取付部材の接合部の少なくともいずれか一方に斜面を有している
ことを特徴とする請求項１又は請求項２に記載の建物用庇。
【請求項４】
上記先端材と取付部材の接合部に、両部材の間に間隙が生じる
ことを特徴とする請求項１又は請求項２に記載の建物用庇。
【請求項５】
上記カバー材の先端と折返縁とに間隙が存在するようにした
ことを特徴とする請求項１〜請求項４のいずれかに記載の建物用庇。
【発明の詳細な説明】
【技術分野】
【０００１】
本発明は、建物の出入口や窓の上に雨水や日射を遮るために取り付ける建物用庇に関する。
【背景技術】
【０００２】
建物用庇において、壁取付部材と、この壁取付部材に取り付け角度可変に係合するパネル取付部材と、このパネル取付部材に取り付けられるパネル部材と、このパネル部材の前端部に取り付けられる先端見切り部材とから構成されて、最も大きな面積を占めるパネル部材と底板をアルミ板材の曲げ加工で作ることでコストダウンを図ったものは、例えば特許文献１により知られている。
【特許文献１】特開２００５−２５６３１７号公報
【０００３】
しかしながら、上記建物用庇は、壁取り付け部材、パネル取付部材、パネル部材、底板、パネル部材に内設する補強材、先端見切り部材の６部材を組み合わせて構成するものであるから、部品代が高くつくだけでなく、取り付け作業にも多くの手数を要してコストダウンの効果に乏しく、又、パネル部材とパネル部材取付部材との接合構造から雨天等に毛細管現象による浸水を起こし易い問題点がある。
【発明の開示】
【発明が解決しようとする課題】
【０００４】
本発明は前記問題点を解消して、庇を３部材の接合で構成することにより、これら部材を押出材で形成しても部品代が安くて、取り付け作業も手早く行えるためコストダウンの効果が上がり、また、取付部材と先端材の接合手段で先端材の振れ止めや抜け止めも効果的に行われる建物用庇を提供することがその課題である。
【課題を解決するための手段】
【０００５】
上記課題を解決するため、請求項１に係る発明は、Ｌ形をなす取付部材と板状の先端材を接合手段で接合して、取付部材により建物躯体に取り付け、上記取付部材の上側には、先端材と取付部材の接合部に跨るカバー材を覆設した建物用庇であって、上記取付部材と先端材の接合手段は、横向きの凹部を取付部材又は先端材の一方に有し、この凹部に係合する凸部を取付部材又は先端材の他方に有するものであり、上記カバー材は、先端側に上記先端材に設けた受溝に係合する折返縁を有し、基部側に上記取付部材の建物躯体への取付部に付設した受片に取り付ける取付片を有しているものであることを特徴とする。
【０００６】
請求項２に係る発明は、請求項１において、上記先端材は、張出面に異なる模様を形成した複数種の中から、所望する先端材を選択して取付部材と接合することを特徴とする。
【０００７】
請求項３に係る発明は、請求項１又は請求項２において、上記先端材と取付部材の接合部の少なくともいずれか一方に斜面を有していることを特徴とする。
【０００８】
請求項４に係る発明は、請求項１又は請求項２において、上記先端材と取付部材の接合部に、両部材の間に間隙が生じることを特徴とする。
【０００９】
請求項５に係る発明は、請求項１〜請求項４のいずれかにおいて、上記カバー材の先端と折返縁とに間隙が存在するようにしたことを特徴とする。
【発明の効果】
【００１０】
請求項１に係る発明によれば、建物用庇をＬ形をなす取付部材と、板状の先端材と、カバー材の３部材を接合して形成するから、各部材を押出成形で形成しても簡単な部材形状と少ない部材数のため安価に製作することができて、各部材を接合して建物躯体へ取り付ける作業も速やかに行えるので、庇設置のコストダウンを図るのに有効である。
また、Ｌ形の取付部材と板状の先端材の接合を、取付部材又は先端材の一方に横向きの凹部を設け、他方に凹部に係合する凸部を設けて行なうから、凹部と凸部の係合で先端材に上下方向に振れる力や、前後方向の押し引き力等が作用しても、先端材の振れや動きが抑制されたり、先端材の脱落を防止する効果に優れる。
さらに、カバー材の先端に折返縁を設けて、この折返縁を先端材に設けた受溝に係合させるから、カバー材の先端側の固定が簡単確実に行われ、先端材の脱落を防止する。
【００１１】
請求項２に係る発明によれば、先端材を張出面に形成した模様が異なる幾種類もを準備して、任意のものを選択して取付部材と接合すれば、模様の変化で形成される庇の印象が変わり、意匠性が高まる。なお、先端材のみ複数種作成し、取付部材及びカバー材は同一の部材を使用するため部材数が少なくてすみ、コストダウンを図るのに有効である。
【００１２】
請求項３に係る発明によれば、先端材と取付部材の接合に段差が生ずる場合、高い方の取付部材の端部を斜面にして接合面と平らに連なるようにすれば、先端材と取付部材の間に光反射が異なる隔離帯ができて、先端材と取付部材に色違いがあってもこれを目立たせなくするから、庇の意匠性が損なわれない。
【００１３】
請求項４に係る発明によれば、先端材と取付部材の接合の表面が面一状態となる場合、先端材と取付部材との間に間隙を形成すれば、先端材と取付部材の間に暗い隔離帯ができて、先端材と取付部材に色違いがあってもこれを目立たせなくしたり、目違いを目立たせなくするから、庇の意匠性が損なわれない。
【００１４】
請求項５に係る発明によれば、カバー材の先端と折返縁とに間隙があると、この間隙によって毛管現象が絶たれて、カバー材と先端材との間から雨水等が庇内部へ浸入させ難い。
【発明を実施するための最良の形態】
【００１５】
以下に本発明に係る建物用庇の実施形態を図１〜図５に基づいて説明する。
この実施形態の建物用庇は、図１に示す通りＬ形をなす取付部材１と板状の先端材２を接合手段３で接合し、取付部材１により建物躯体４に取り付けて、上記取付部材１の上側には、先端材２と取付部材１の接合部に跨るカバー材５を覆設したものであって、上記取付部材１と先端材２の接合手段３は、横向きの凹部６ａ、６ｂを取付部材１又は先端材２の一方に有し、この凹部６ａ、６ｂに係合する凸部７ａ、７ｂを取付部材１又は先端材２の他方に有するものであり、上記カバー材５は、先端側に上記先端材２に設けた受溝８に係合する折返縁９を有し、基部側に上記取付部材１の建物躯体４への取付部１０に付設した受片１１に重ねてねじ止めする取付片１３を有する構成としてある。
【００１６】
上記取付部材１は、図２に示す通り先端材２を取り付ける横片部１４と建物躯体４へ取り付ける取付部１０でＬ形をなし、上記横片部１４の先端側には先上がりに傾斜する前縁部１５を形成し、該前縁部１５の上端には前向きの第１の凸部７ａを形成し、上記前縁部１５より少し後側には、後上がりの傾斜で後方へ張り出す支持片１６を形成し、この支持片１６の基部前側には、前向きに第２の凸部７ｂを形成し、更に、取付部１０の上端部には受片１1を前下がりの傾斜で形成し、横片部１４の内面には、図６に示す通り化粧蓋１７を取り付けるねじ１８を螺合させるビスホール１９が形成されるようにアルミニウムの押出成型で連続成型したものであり、この連続成形材を所要の長さに切断して使用する。そして、この取付部材１における取付部１０には、建物躯体4への取付ボルト２０を通す孔２１を形成する。
【００１７】
上記先端材２は、図３に示す通り平らな板状をなし、後部の上側に短い立上片２５で先端材２と連なって後方へ張り出す接合手段３の形成部２６を、後部がＶ字形２６ａをなし、その後側片は取付部材１に形成される支持片１６に重なる接合片２７となり、Ｖ字形２６ａの頂部の下側には、取付部材１に形成される第２の凸部７ｂを係合させる第２の凹部６ｂが形成され、上記立上片２５の前側には、上記形成部２６と先端材２でカバー材５に形成させる折返縁９が係合する受溝８が形成され、後側には取付部材１に形成される第１の凸部７ａが係合する第１の凹部６ａを形成し、更に、先端材２の前部には水切縁２８と、端部に図６に示す化粧蓋１７を取り付けるねじ１８を螺合させるビスホール２９を形成されるようにアルミニウムの押出成型で連続成型したものであり、この連続成型材を所要の長さに切断して使用する。そして、この先端材２における接合片２７には、取付部材１に形成される支持片１6にあけられるねじ下孔２４に合わせてねじ２３を通す孔３０を形成する。なお、図３に示すジョイントピン差込穴２９´は、複数の先端材２を長手方向に連結する場合にピンを差すためのものである。
【００１８】
上記先端材２は、その下面が図１及び図３に示す通り平面でもよい。しかし、この張り出し部に図３の楕円内に示す通り、押出成型が可能な突出模様３１を形成すると、意匠性が高められるから、上記突出模様３１の断面形状や配列間隔等を変えることで意匠性に変化を付けた幾種類もの先端材２を準備して、これら先端材２を選択的に取付部材１と接合して庇を形成すれば、コストアップもなく意匠性が多様な庇を製作することができる。なお、図示しないが模様は突出に限定されず、波状や三角状、円弧状等にしてもよい。
【００１９】
上記カバー材５は、図４に示す通り上記取付部材１の横片部１４を覆う横片部３２と、取付部材１の取付部１０を覆う緩い傾斜の縦片部３３で略Ｌ形をなして、上記横片部３２は先端側が前下がりに傾斜する斜面３４をなし、該斜面３４の先端部よりやや後方に先端材２の受溝８に係合する後向き方の折返縁９を、先端部と折返縁９との間に間隙３５ができるように形成され、上記斜面３４と横片部３２との境部付近には、図６に示す通り端部に化粧蓋１７を取り付けるねじ１８を螺合させるビスホール３６を形成され、縦片部３３は建物躯体４とで図５（ｃ）のようにコーキングの充填溝３７を形成するため、上端より少し下った位置に取付部材１に形成される受片１１に重なる上記取付片１３を有するようにアルミニウムの押出成型で連続成形したものであり、この連続成形材を所要の長さに切断し使用する。
【００２０】
上記の通り構成される建物用庇は、建物躯体４へ取り付ける取付部材１が横片部１４の先端側へ図２に示す通り形成される第１の凸部７ａと第２の凸部７ｂを、先端材２の後部へ図３に示す通り形成される第１の凹部６ａに第１の凸部７ａへ、第２の凹部６ｂに第２の凸部７ｂへ図５（ａ）に示す通り係合させると、先端材２の後部に形成され接合片２７が、取付部材１の前部に形成される支持片１６へ重なるから、孔３０にねじ２３を締結すれば、取付部材１と先端材２は、図５（ｂ）に示す通り接合部に取付部材１の斜面をなす前縁部１５が現れて段差を目立たなくするように接合されて一体状となる。そこで、取付部材１の取付部１０を、図５（ｂ）に示す通りこの部分にあけた孔２１から建物躯体４へ植え込まれているボルト２０が覗くように建物躯体４に当てて、上記ボルト２０に座金３９を添えてナット４０を掛けて締め付けを行うえば、取付部材１と先端材２は図５（ｃ）に示す通り建物躯体４に固定されるので、取付部材１に図５（ｃ）に示す通り上側からカバー材５を被せて、該カバー材５の先端に形成した折返縁９を先端材２に形成される受溝８に係合させ、カバー材５の縦片部３３の上部に形成される取付片１３を取付部材１の取付部１０に形成される受片１１に重ねて、ねじ１２の締め付けを行えば、カバー材５は先端材２と取付部材１に前後を支持されて安定し、押出成形された３部材の接合による建物庇を完成する。
【００２１】
しかし、取付部材１の取付部１０を建物躯体４にボルト締めするだけでは、両者の間に間隙が存在して雨水の侵入を生じ易いから、図５（ｄ）示す通りカバー材５の縦片部３３の上端部と建物躯体４とで形成されるコーキングの充填溝３７にコーキング４１を充填して間隙を密封させ、庇の両端部には図６に示す通り化粧蓋１７を当ててねじ１８を螺合させるビスホール１９、２９、３６に締め込むことで固定すれば、押出成型材を接合した構造の庇でも意匠性が高くて、風や地震等で上下に振られたり、前後に揺られたりしても接合の離脱を起こさない建物用庇を図６に示す窓４２の上や図面には示してない出入口の上へ設置して、日射や雨水の遮蔽等を効果的に行わせることができる。
【００２２】
本発明に係る建物用庇において、取付部材１と先端材２とカバー材５を接合する接合手段３は、上記図１〜図５に示す実施形態に示す構造に限定されるものではなく、その他多くの変形をなし得るから、以下に９種類の変形例を図７（ａ）（ｂ）〜図１５（ａ）（ｂ）に基づいて説明する。
【００２３】
図７（ａ）（ｂ）は接合手段３の第１の変形例を示す。この変形例は図７（ａ）に示す通り、先端材２が後部の上側に短い立上片２５で先端材１と連って後方へ張り出す接合手段３の形成部２６を形成し、上記立上片２５の前側と後側には、上記形成部２６と先端材２でカバー材５の折返縁９ａを係合させる第１の受溝８ａと、取付部材１における前縁部１５の上端部へ前向きに形成される第１の凸部７ａを係合させる第１の凹部６ａが形成され、上記形成部２６の後部には取付部材１の支持片１６に重なる接合片２７を形成され、この接合片２７の基部の下側には、取付部材１に形成される第２の凸部７ｂを係合させる第２の凹部６ｂを形成し、接合片２７の上部には、カバー材５の横片部３２の下側に形成される第２の折返縁９ｂを係合する第２の受溝8ｂを形成した構成としてある。
【００２４】
上記第１の変形例は、図７（ｂ）に示す通り取付部材１に形成される第１の凸部７ａと第２の凸部７ｂを、先端材２に形成される第１の凹部６ａと第２の凹部６ｂに係合させると、取付部材１に形成された支持片１６と先端材２に形成される接合片２７が重なるので、両者をねじ２３で締め合わせれば、取付部材１と先端材２は接合部に取付部材1の斜面をなす前縁部１５が現れるため、接合の段差が目立たなくなるように接合され、この状態でカバー材５に形成される第１の折返縁９ａと第２の折返縁９ｂを、先端材２に形成される第１の受溝８ａと第２の受溝８ｂへ係合させれば、カバー材５の先端が２箇所で先端材２に止め付けられて、押出成形の３部材の接合による建物用庇を構成する。
【００２５】
図８（ａ）（ｂ）は、第２の変形例を示す。この変形例は、図８（ａ）に示す通り先端材２の後部の上側に短い立上片２５で先端材２と連なる接合手段３の形成部２６を、後端に取付部材１に形成される支持片１６に重なる接合片２７を形成し、その上端には取付部材１に形成される支持片１６の上端に形成される第２の凹部６ｂへ係合する第２の凸部７ｂが形成され、上記立上片２５の前側には、形成部２６と先端材２で、カバー材５に形成される折返縁９を係合する受溝８が形成され、後側には取付部材１に形成される第１の凸部７ａが係合する第１の凹部６ａを形成された構成としてある。
【００２６】
上記第２の変形例は、図８（ｂ）に示す通り、取付部材１に形成される第１の凸部７ａが先端材２に形成される第１の凹部６ａに係合させ、先端材２に形成される第２の凸部７ｂを取付部材１に形成された第２の凹部６ｂに係合させれば、取付部材１に形成される支持片１６と先端材２に形成される接合片２７が重なるから、両者をねじ２３で締め合わせれば、取付部材１と先端材２は接合部に取付部材1の斜面をなす前縁部１５が現れるため、接合の段差が目立たなくなるように接合され、取付部材１と先端材２が接合されるから、この状態でカバー材５に形成される折返縁９を、先端材２に形成される受溝８へ係合させれば、カバー材５の先端が先端材２に止め付けられて、押出成形の３部材の接合による建物用庇を構成する。
【００２７】
図９（ａ）（ｂ）は、第３の変形例を示す。この変形例は、図9（ａ）に示す通り先端材２の後部の上側に短い立上片２５で先端材２と連なる接合手段３の形成部２６が形成されて、この形成部２６は後部に取付部材１に形成される支持片１６に重なる接合片２７を形成し、この接合片２７の後端の上側には工の字形部４３が形成され、この工の字形部４３の前側にはカバー材５の横片部３２と斜面３４との境部に形成される第２の折返縁９ｂが係合する第２の受溝８ｂが形成され、後側には取付部材１の前縁部１５に近い横片部１４から立ち上がる立上片４４の上端に前向きに形成される第２の凸部７ｂが係合する第２の凹部６ｂが形成され、更に、上記立上片２５の前側には形成部２６と先端材２とでカバー材５の斜面３４の先端に形成される第１の折返縁９ａが係合する第１の受溝8ａを形成され、後側には取付部材１の前縁部１５の先端に形成される第１の凸部７ａが係合する第２の凹部6ａを形成された構成としてある。
【００２８】
上記第３の変形例は、図９（ｂ）に示す通り、取付部材１に形成される第１の凸部７ａと第２の凸部７ｂを、先端材２に形成される第１の凹部６ａと第２の凹部６ｂにそれぞれ係合させれば、取付部材１に形成される支持片１６と先端材２に形成される接合片２７が重なるから、両者をねじ２３で締め合われば、取付部材１と先端材２は接合部に取付部材1の斜面をなす前縁部１５が現れて、接合の段差を目立たなくするように接合され、この状態でカバー材５に形成される第一の折返縁９ａと第２の折返縁9ｂを先端材２に形成される第一の受溝８ａと第２の受溝８ｂへ係合させれば、カバー材５の先端側が２箇所で先端材２へ止め付けられて、押出成型の３部材の接合による建物用庇を構成する。
【００２９】
図１０（ａ）（ｂ）は、第４の変形例を示す。この変形例は、図１０（ａ）に示す通り先端材２は、後部の上側に短い立上片２５で先端材２と連なる接合手段３の形成部２６を形成されて、この形成部２６の後端には取付部材１に形成される支持片１６へ重なる接合片２７を形成され、該接合片２７の上端後側には後向きに傾斜する第２の凸部７ｂを形成され、更に、上記立上片２５の前側には形成部２６と先端材２でカバー材５の先端に形成される折返縁９を係合させる受溝８を形成され、立上片２５の後側には後向きに傾斜する第１の凹部６ａを形成され、また、取付部材１は先端に形成される斜面の前縁部１５の背部の中間から支持片１６を突出させてその先端に先端材２に形成される第２の凸部７ｂを係合させる第２の凹部６ｂを形成され、上記支持片１６の先端部は先端材２に形成される第１の凹部６ａが係合する第１の凸部７ａとなるように構成してある。
【００３０】
上記第４の変形例は、図１０（ｂ）に示す通り、取付部材１に形成される第１の凸部７ａを先端材２に形成される第１の凹部６ａに、先端材２に形成される第２の凸部７ｂを取付部材1に形成される第２の凹部６ｂにそれぞれ係合させれば、取付部材１に形成される支持片１６と先端材２に形成される接合片２７が重なるから、両者をねじ２３で締め合わせれば、取付部材１と先端材２は接合部に取付部材１の斜面をなす前縁部１５が現れて、接合の段差を目立たなくするように接合され、この状態でカバー材５に形成される折返縁９を先端材２に形成される受溝８へ係合させれば、カバー材５の先端側が先端材２へ止め付けられて、押出成型の３部材の接合による建物用庇を構成する。
【００３１】
図１１（ａ）（ｂ）は、第５の変形例を示す。この変形例は、図１１（ａ）に示す通り先端材２は、後部の上側に短い立上片２５で先端材２と連なる接合手段３の形成部２６を形成されて、この形成部２６は後方へ長く延出して、その後端に取付部材１に形成される支持片１６に重なる接合片２７を形成され、この接合片２７下端には前向きに第２の凸部７ｂを形成され、該形成部２６の下側の中央部には前向きに第１の凸部７ａを形成され、又、取付部材１は傾斜する前縁部１５の先端に先端材２に形成される第１の凸部７ａが係合する後向きの第１の凹部６ａを形成され、横片部１４はその上側に先端材２に形成される接合片２７と重なる支持片１６を形成されて、この支持片１６の基部の後側に先端材２に形成される第２の凸部7ｂが係合する第２の凹部６ｂを形成され、さらに、上記立上片２５の前側には形成部２６と先端材２とでカバー材５の斜面３４の先端に形成される折返縁９が係合する受溝８を形成された構成としてある。
【００３２】
上記第５の変形例は、図１１（ｂ）に示す通り、先端材２に形成される第１の凸部７ａを取付部材１に形成される第１の凹部６ａに、先端材２に形成される第２の凸部７ｂを取付部材1に形成される第２の凹部６ｂにそれぞれ係合させれば、取付部材１に形成される支持片１６と先端材２に形成される接合片２７が重なるから、両者をねじ２３で締め合わせれば、取付部材１と先端材２は接合部に取付部材1の斜面をなす前縁部１５が現れ、その先には間隙４５が現れて接合の段差を目立たなくするように接合され、この状態でカバー材５に形成される折返縁９を先端材２に形成される受溝８へ係合させれば、カバー材５の先端側が先端材２へ止め付けられて、押出成型の３部材の接合による建物用庇を構成する。
【００３３】
図１２（ａ）（ｂ）は、第６の変形例を示す。この変形例は、図１２（ａ）に示す通り先端材２は、短い立上片２５で先端材２と連なる接合手段３の形成部２６を形成されて、上記立上片２５の前側に形成部２６と先端材２でカバー材５に形成された折返縁９が係合する受溝８を前向きに形成され、立上片２５の後側には先端材２の傾斜端面４６とこれに平行するように形成部２６から突出させた突片４７で、取付部材１の前縁部１５の先端に形成される凸部７が係合する凹部6を斜め後向きに形成され、上記形成部２６の後端には取付部材１の横片部１４から斜めに立ち上がらせた支持片１６に重なる接合片２７を形成された構成としてある。
【００３４】
上記第６の変形例は、図１２（ｂ）に示す通り、取付部材１に形成される凸部７を先端材２に形成される凹部６に係合させれば、取付部材１に形成される支持片１６と先端材２に形成される接合片２7が重なるから、両者をねじ２３で締め合せれば、取付部材１と先端材２は接合部に取付部材1の斜面をなす前縁部１５が現れて、接合の段差を目立たなくするように接合されるので、この状態でカバー材５に形成される折返縁９を先端材２に形成される受溝８へ係合させれば、カバー材５の先端側が先端材２へ止め付けられて、押出成形の３部材の接合による建物用庇を構成する。
【００３５】
図１３（ａ）（ｂ）は、第７の変形例を示す。この変形例は、図１３（ａ）に示す通り先端材２が短い立上片２５で先端材２と連なる接合手段３の形成部２６を形成されて、上記立上片２５の前側に形成部２６と先端材２でカバー材５に形成される折返縁９を係合させる前向きの受溝８を形成され、立上片２５の後側には上記形成部２６と先端材２の先端が下向きに傾斜する端部４６で、取付部材１の横片部１４の先端に形成される凸部７が係合する凹部６を後向きに形成され、上記形成部２６の後端上側には取付部材１の横片部１４から直立する支持片１６へ重なる接合片２７を形成された構成としてある。
【００３６】
上記第７の変形例は、図１３（ｂ）に示す通り、取付部材１に形成される凸部７を先端材２に形成される凹部６に係合させれば、取付部材１に形成される支持片１６と先端材２に形成される接合片２７が重なるから、両者をねじ２３で締め合せれば、取付部材１と先端材２は接合部に先端材の傾斜する端部４６が表れて、接合の段差を目立たなくするように接合されるので、この状態でカバー材５に形成される折返縁９を先端材２に形成される受溝８へ係合させれば、カバー材５の先端側が先端材２へ止め付けられて、押出成形の３部材の接合による建物用庇を構成する。
【００３７】
図１４（ａ）（ｂ）は、第８の変形例を示す。この変形例は、図１４（ａ）に示す通り先端材２が後部の上側に短い立上片２５で先端材２と連って後方へ張り出す屋根形の接合手段３の形成部２６を形成され、上記立上片２５の前側に形成部２６と先端材２で、カバー材５に形成される折返縁９を係合させる受溝８を形成され、屋根形をなす形成部２６は棟部の下側中央部に前向きの第１の凸部７ａを形成され、更に後側の流れ面は接合片２７となってその下端に前向きの第２の凸部７ｂを形成され、取付部材１は、直立する前縁部１５の上端に先端材２に形成される第１の凸部7ａへ係合する後向きの第一の凹部６ａを形成され、前縁部１５の下側には先端材２の上面へ重なるように間隙４５の裏打片４７を突出させ、前縁部１５に近い横片部１４の上側には先端材２に形成される接合片２７へ重なる支持片１６を形成された構成としてある。
【００３８】
上記第８の変形例は、図１４（ｂ）に示す通り、取付部材１に形成される第１の凹部６ａと第２の凹部6ｂを、先端材に形成される第1の凸部７ａと第２の凸部７ｂにそれぞれ係合させれば、取付部材１に形成される支持片１６と先端材２に形成される接合片２７が重なるから、両者をねじ２３で締め合われば、取付部材１と先端材２は接合部を裏打片４７で後部を塞がれた間隙４５が生ずるように接合されるので、この状態でカバー材５に形成される折返縁９を先端材２に形成される受溝８へ係合させれば、カバー材５の先端側が先端材２へ止め付けられて、押出成形の３部材の接合による建物用庇を構成する。
【００３９】
図１５（ａ）（ｂ）は、第９の変形例を示す。この変形例は、図１５（ａ）に示す通り先端材２は、後部の上側に短い立上片２５で先端材２と連って後方へ張り出す屋根形の接合手段３の形成部２６を形成され、上記立上片２５の前側に形成部２６と先端材２で、カバー材５に形成される折返縁９を係合させる受溝８を形成され、屋根形をなす形成部２６はその棟部の下側中央部に垂下片５０を有して、その先端に取付部材１に形成される第１の凹部６ａへ係合する前向きの第１の凸部７ａを形成され、さらに、後側の流れ面は接合片２７となってその下端に取付部材１に形成される第２の凹部６ｂへ係合する前向きの第２の凸部７ｂを形成され、取付部材１は前縁部１５が先上りに傾斜して基部に間隙４５となる段部５１を形成させ、前縁部１５に近い横片部１４の上側には、先端材２に形成される接合片２７へ重なる支持片１６を形成された構成としてある。
【００４０】
上記第９の変形例は、図１５（ｂ）に示す通り、取付部材１に形成される第１の凹部６ａと第２の凹部６ｂを、先端材２に形成される第１の凸部７ａと第２の凸部７ｂにそれぞれ係合させれば、取付部材１に形成される支持片１６と先端材２に形成される接合片２７が重なるから、両者をねじ２３で締め合われば、取付部材１と先端材２は接合部に取付部材１に形成される段部５１で裏打された間隙４５が生ずるように接合されるから、この状態でカバー材５に形成される折返縁９を先端材２に形成される受溝８へ係合させれば、カバー材５の先端側が先端材２へ止め付けられて、押出成形の３部材の接合による建物用庇を構成する。
【００４１】
上記した接合構造の変形例９種類は、実施形態の接合手段とは相違するが、取付部材１と先端材２が横向きの凸部７と凹部6の係合で取付部材１に対する先端材２の上下方向の振れと、前後方向のずれが抑制され、取付部材１と先端材２は支持片１６と接合片２７を重ねて公知の通りねじ結合するから取付部材１と先端材２が強固に確実に接合されて、先端材２とカバー材５も受溝８と折返縁９の係合で確実に取り付けられる点は実施形態の接合手段と同様である。
【産業上の利用可能性】
【００４２】
部材の形状改良で押出成形材を接合した構成でも、機能と意匠性に優れた建物用庇を市場へ提供することを実現させることができる。
【図面の簡単な説明】
【００４３】
【図１】本発明に係る建物用庇の実施形態を示す断面図
【図２】同上実施形態で用いた取付部材の一部分の斜視図
【図３】同上実施形態で用いた先端材の一部分の斜視図
【図４】同上実施形態で用いたカバー材の一部分の斜視図
【図５】（ａ）（ｂ）（ｃ）（ｄ）は、取付部材、先端材、カバー材を接合して建物用庇を形成し建物躯体へ取り付ける状態の説明図
【図６】窓の上に建物用庇が設置された状態の説明図
【図７】（ａ）（ｂ）は、本発明に係る建物用庇の接合部の第１の変形例を示す説明図
【図８】（ａ）（ｂ）は、同上の第２の変形例を示す説明図
【図９】（ａ）（ｂ）は、同上の第３の変形例を示す説明図
【図１０】（ａ）（ｂ）は、同上の第４の変形例を示す説明図
【図１１】（ａ）（ｂ）は、同上の第５の変形例を示す説明図
【図１２】（ａ）（ｂ）は、同上の第６の変形例を示す説明図
【図１３】（ａ）（ｂ）は、同上の第７の変形例を示す説明図
【図１４】（ａ）（ｂ）は、同上の第８の変形例を示す説明図
【図１５】（ａ）（ｂ）は、同上の第９の変形例を示す説明図
【符号の説明】
【００４４】
１  取付部材
２  先端材
３  接合手段
４  建物躯体
５  カバー材
６、６ａ、６ｂ  凹部
７、７ａ、７ｂ  凸部
８  受溝
９  折返縁
１０  取付部
１１  受片
１２  ねじ
１３  取付片
【図１】
2010150805.tif 000003
【図２】
2010150805.tif 000004
【図３】
2010150805.tif 000005
【図４】
2010150805.tif 000006
【図５】
2010150805.tif 000007
【図６】
2010150805.tif 000008
【図７】
2010150805.tif 000009
【図８】
2010150805.tif 000010
【図９】
2010150805.tif 000011
【図１０】
2010150805.tif 000012
【図１１】
2010150805.tif 000013
【図１２】
2010150805.tif 000014
【図１３】
2010150805.tif 000015
【図１４】
2010150805.tif 000016
【図１５】
2010150805.tif 000017